(57)【特許請求の範囲】
【請求項１】
原稿を光学的に読み取る読取手段と、この読取手段による読取原稿画像又は外部から入力された画像を記録紙上に記録する記録手段と、これら各手段を内装した本体部と、この本体部の上面に設けられ、前記読取手段により読み取られる原稿が載置される透明平板からなる読取台と、この読取台に対して開閉自在で後端側を前記本体部に回動軸支され、前記読取台上に載置された前記原稿を押えるトップカバーと、前記本体部の上面後端側に形成され本体部内に記録紙を供給するための給紙口と、前記給紙口に装着され記録紙をストックするための給紙トレーと、を備えたスキャナ付プリンタにおいて、
前記トップカバーは、前記回動軸側の一端上面に回動自在に保持され前記給紙口への異物落下を防止するための落下防止カバーと、該回動軸側の一端から一体に延出され前記落下防止カバーに当接して該落下防止カバーを前記給紙トレー側へ付勢する可撓性を有する樹脂ばねとして形成された付勢部と、前記落下防止カバーが回動して、その先端部が記録紙に当接することを規制するストッパと、を備え、
前記落下防止カバーは、前記トップカバーに対して一端側を支軸とし、前記付勢部の先端が当接するための当接部を備え、
前記当接部が、前記トップカバーの開閉時に前記付勢部に当接することにより、前記落下防止カバーが前記給紙トレー側へ付勢され前記給紙口を塞ぐことで、該給紙口への異物落下を防止することを特徴とするスキャナ付プリンタ。
【請求項２】
原稿を光学的に読み取る読取手段と、この読取手段による読取原稿画像又は外部から入力された画像を記録紙上に記録する記録手段と、これら各手段を内装した本体部と、この本体部の上面に設けられ、前記読取手段により読み取られる原稿が載置される透明平板からなる読取台と、この読取台に対して開閉自在で後端側を前記本体部に回動軸支され、前記読取台上に載置された前記原稿を押えるトップカバーと、前記本体部の上面後端側に形成され本体部内に記録紙を供給するための給紙口と、前記給紙口に装着され記録紙をストックするための給紙トレーと、を備えたスキャナ付プリンタにおいて、
前記トップカバーは、前記回動軸側の一端上面に回動自在に保持され前記給紙口への異物落下を防止するための落下防止カバーと、前記落下防止カバーを前記給紙トレーへ付勢させる付勢部と、を備え、
前記落下防止カバーは、前記トップカバーの開閉時に前記付勢部により前記給紙トレーへ付勢され前記給紙口を塞ぐことで、該給紙口への異物落下を防止することを特徴とするスキャナ付プリンタ。
【請求項３】
前記付勢部は、可撓性を有する樹脂ばねとして形成され、
前記落下防止カバーは、前記付勢部が当接するための当接部を備え、
前記当接部は、前記トップカバーの開閉時に前記付勢部に当接されることにより、前記落下防止カバーが前記給紙トレー側へ付勢されることを特徴とする請求項２に記載のスキャナ付プリンタ。
【発明の詳細な説明】
【技術分野】
【０００１】
本発明は、異物が給紙口より本体内部に落下するのを防止するカバーを備えたスキャナ付プリンタに関する。
【背景技術】
【０００２】
従来、異物落下防止を図った電子機器として、例えば、特許文献１に示されるように、電子機器の開口窓にコインやクリップなどの異物が落下した場合、異物がプリンタ内部まで入り込むのを防止する規制板を開口窓内に設けることが知られている。開口窓に落下した異物は、開口窓内の規制板に当たり落下方向が変えられ、開口窓内に備えられたプリンタから離れた位置に落下することでプリンタ内部に入り込むことを防止している。しかし、この種の電子機器においては、落下した異物は開口窓内に落下するため、操作者は異物を取り除くために開口窓を開放して異物を取り出す必要があった。
【０００３】
また、例えば、特許文献２に示されるように、機器のトップカバーの開放構造において、トップカバーの一端に樹脂バネを備え、トップカバーが開放する際、樹脂バネの可撓性によりに押し開き力を付与することが知られている。これにより、トップカバーの開放構造は、金属バネを使用せずトップカバーに押し開き力を付与することができるため、部品点数を減らし組立を容易にすることができる。また、例えば、特許文献３に示されるように、トップカバーの仮止構造において、トップカバーが開放した際、それ以上トップカバーが開放する方向へ開かないように仮止めする仮止部に樹脂バネを使用することが知られている。これにより、トップカバーが開放し仮止めされた状態において、さらにトップカバーに対し開放方向へ力が加わった場合、仮止部が撓むことにより仮止部の破損を防止することができる。
【０００４】
しかしながら、上記いずれの特許文献に示される技術においても、スキャナ付プリンタの給紙口に異物が落下するのを防止する落下防止カバーが給紙口を塞ぐ構成において、落下防止カバーが給紙口を塞ぐ方向へ付勢するために樹脂バネを使用し、かつ、金属バネを使用した場合に比べ部品点数を減らし組立を容易にすることで、量産性を意図したものはない。
【特許文献１】実開平７−３０８０号公報
【特許文献２】特開２０００−２１１６８０号公報
【特許文献３】特開平５−１１５３９１号公報
【発明の開示】
【発明が解決しようとする課題】
【０００５】
本発明は、上記課題を解決するものであって、落下防止カバーが給紙口を塞ぐことにより、異物が給紙口内部に落下せず異物がトップカバー上に留まるため、操作者は容易に異物を取り除くことができ、かつ、落下防止カバーが給紙口を塞ぐ方向へ付勢する付勢部に樹脂バネを使用することにより、部品点数を減らし組立を容易にすることで、量産性に優れたスキャナ付プリンタを提供することを目的とする。
【課題を解決するための手段】
【０００６】
上記課題を解決するために、請求項１の発明は、原稿を光学的に読み取る読取手段と、この読取手段による読取原稿画像又は外部から入力された画像を記録紙上に記録する記録手段と、これら各手段を内装した本体部と、この本体部の上面に設けられ、読取手段により読み取られる原稿が載置される透明平板からなる読取台と、この読取台に対して開閉自在で後端側を本体部に回動軸支され、読取台上に載置された原稿を押えるトップカバーと、本体部の上面後端側に形成され本体部内に記録紙を供給するための給紙口と、給紙口に装着され記録紙をストックするための給紙トレーと、を備えたスキャナ付プリンタにおいて、トップカバーは、回動軸側の一端上面に回動自在に保持され給紙口への異物落下を防止するための落下防止カバーと、回動軸側の一端から一体に延出され落下防止カバーに当接して落下防止カバーを給紙トレー側へ付勢する可撓性を有する樹脂ばねとして形成された付勢部と、落下防止カバーが回動して、その先端部が記録紙に当接することを規制するストッパと、を備え、落下防止カバーは、トップカバーに対して一端側を支軸とし、付勢部の先端が当接するための当接部を備え、当接部が、トップカバーの開閉時に付勢部に当接することにより、落下防止カバーが給紙トレー側へ付勢され給紙口を塞ぐことで、給紙口への異物落下を防止することができるようにしたものである。
【０００７】
また、請求項２の発明は、原稿を光学的に読み取る読取手段と、この読取手段による読取原稿画像又は外部から入力された画像を記録紙上に記録する記録手段と、これら各手段を内装した本体部と、この本体部の上面に設けられ、読取手段により読み取られる原稿が載置される透明平板からなる読取台と、この読取台に対して開閉自在で後端側を本体部に回動軸支され、読取台上に載置された原稿を押えるトップカバーと、本体部の上面後端側に形成され本体部内に記録紙を供給するための給紙口と、給紙口に装着され記録紙をストックするための給紙トレーと、を備えたスキャナ付プリンタにおいて、トップカバーは、回動軸側の一端上面に回動自在に保持され給紙口への異物落下を防止するための落下防止カバーと、落下防止カバーを給紙トレーへ付勢させる付勢部と、を備え、落下防止カバーは、トップカバーの開閉時に付勢部により給紙トレーへ付勢され給紙口を塞ぐことで、給紙口への異物落下を防止することができるものである。
【０００８】
また、請求項３の発明は、請求項２において、付勢部は、可撓性を有する樹脂ばねとして形成され、落下防止カバーは、付勢部が当接するための当接部を備え、当接部は、トップカバーの開閉時に付勢部に当接されることにより、落下防止カバーが給紙トレー側へ付勢されるものである。
【発明の効果】
【０００９】
本発明によれば、落下防止カバーが給紙口を塞ぐことにより、異物が給紙口内に落下せず異物がトップカバー及び落下防止カバー上に留まるため操作者は容易に異物を取り除くことができる。また、トップカバーの一端にトップカバーの一部として落下防止カバーが給紙口を塞ぐ方向へ付勢させる樹脂バネを形成しているので、トップカバーの開閉状態に係わらず落下防止カバーは給紙口を塞ぐことができるとともに、付勢部を金属バネで形成する場合に比べ部品点数を減らし組立を容易にすることで、作業効率を上げることができ、量産に適する。
【発明を実施するための最良の形態】
【００１０】
以下、本発明の実施形態に係るスキャナ付プリンタについて、図面を参照して説明する。図１は、本発明の実施形態に係るスキャナ付プリンタを、図２は同スキャナ付プリンタのトップカバーが開放した状態を示す。スキャナ付プリンタ１は、操作者による電源投入をはじめとする各種操作を受け付ける操作パネル２と、原稿が載置される透明平板ガラスから成る読取台３と、読取台３に載置された原稿を押えるスキャナーリッド４（以下、トップカバーという）と、読取台３上に載置された原稿を読取手段により光学的に読み取った原稿画像や外部から入力された画像を記録紙に記録する記録手段と、これら各手段を内装した本体部５と、記録される記録紙をストックする給紙トレー６と、記録紙を本体部５内に取入れる給紙口５ａと、記録された記録紙を排出する排出口７とを備える。
【００１１】
トップカバー４は、給紙口５ａに対応して、本体部５に取り込まれる記録紙が通過するトップカバー開口１５を備える。さらに、トップカバー４は、後端を本体部４に回動軸１３で取付けられ、図２に示すようにトップカバー４を開放した際、トップカバー４上に置かれていた物が異物としてトップカバー４の後端に設けられたトップカバー開口１５より給紙口５ａを通って本体部内に落下するのを防止する落下防止カバー８を備える。落下防止カバー８は、トップカバー４の後端に回動可能なように一端側を支軸１６（後述の図４参照）により取付けられ、トップカバー４の一端（図示しないが両端にあってもよい）に成形された樹脂バネ９（以下、付勢部という）（後述の図３参照）により給紙トレー６側へ付勢される。ここで、読取手段とは、例えば、ＣＩＳ（以下、コンタクトイメージセンサという）であり、記録手段とは、例えば、インジェットヘッドである。読取台３に載置された原稿はコンタクトイメージセンサによって光学的にスキャンされることで読取られ、読取られた原稿の画像はインジェットヘッドによって記録紙に記録される。給紙トレー６は、本体部６の後端に設けられた給紙口５ａに取付けられる。給紙トレー６にストックされている記録紙は、記録されるとき給紙口５ａから本体部５内と取込まれ、記録されたあと排出口７へ搬送される。
【００１２】
図３は、トップカバー４が落下防止カバー８を付勢する付勢構造を示す。トップカバー４は、後端の片側に落下防止カバー８を給紙トレー６側へ付勢する樹脂バネ９を備える。この樹脂バネ９は、トップカバー４と一体成形されている。落下防止カバー８は、樹脂バネ９の先端が当接するための当接部１０を備える。この当接部１０は、樹脂バネ９に当接した際、樹脂バネ９に設けられた嵌合凹部１１に嵌合するための嵌合凸部１２を備える。トップカバー４が開放されたとき、樹脂バネ９は当接部１０に当接し樹脂バネ９の可撓性により落下防止カバー８を給紙トレー６側へ付勢する。嵌合凹部１１及び嵌合凸部１２は、樹脂バネ９が当接部１０に当接したときに互いに嵌合することにより、樹脂バネ９と当接部１０とが左右方向へずれるのを防止する。樹脂バネ９がトップカバー４の一部として形成されることで、金属バネを使用する場合に比べ、部品点数を減らし組立を容易にすることができる。
【００１３】
図４は、図３におけるＡ−Ａ断面を示す。トップカバー４は、本体部５に回動軸１３により取付けられ、トップカバー４が閉じているときに落下防止カバー８が記録紙トレー６に当接することを防止するストッパ１４と、記録紙トレー６にストックされた記録紙が本体部５に取り込まれるときに通過するためのトップカバー開口１５とを備える。ストッパ１４はトップカバー４と一体に成型されている。落下防止カバー８は、トップカバー４が閉じているとき、自重によりトップカバー開口１５を塞ぐ状態で給紙トレー６側へ傾くように設計される。このとき、ストッパ１４は、落下防止カバー８に当接して支えることで、落下防止カバー８が自重により傾くことで給紙トレー６に当接するのを防止する。
【００１４】
図５（ａ）（ｂ）は、図３のＡ−Ａ断面におけるトップカバー４の開閉の動作状況を示す。図５（ａ）は、トップカバー４が閉じた状態を示し、図５（ｂ）は、トップカバー４が開いた状態を示す。図５（ａ）では、閉じたトップカバー４の上面に例えば、異物としてペン１７が載せられている。図５（ｂ）では、トップカバー４の上面にペン１７が載せられたまま、トップカバー４が開かれる。落下防止カバー８の先端は、トップカバー４が予め定められた程度に開かれると、給紙トレー６に当接し、落下防止カバー８の根元部分でストッパ１４と当接していた部分は、ストッパ１４から離れる。
【００１５】
さらに、トップカバー４が開かれていくと、落下防止カバー８の先端は、給紙トレー６に当接しながら給紙トレー６の上方へと移動すると同時に、当接部１０は樹脂バネ９に当接する。樹脂バネ９は可撓性により当接部１０をトップカバー４の上面へと付勢する。当接部１０はトップカバー４の上面へと付勢されることで、落下防止カバー８は、支軸１６を中心に回転するため落下防止カバー８の先端は給紙トレー６に当接し続けることとなり、落下防止カバー８は、トップカバー開口１５を塞ぐ。トップカバー４の上面に載せられたペン１７は、開かれたトップカバー４の上面が形成する傾斜に沿ってトップカバー開口１５側へ落下するが、落下防止カバー８に当たって落下が停止する。これにより、ペン１７は、トップカバー開口１５に落下せずトップカバー４及び落下防止カバー８の上面に留まるため、操作者は容易にペン１７を取り除くことが可能となる。
【００１６】
以上のように本実施形態のスキャナ付プリンタにおいては、トップカバー４に設けられた異物落下防止のための落下防止カバー８に付勢力を与えるスプリングを別途必要としなくなるので、低コスト化を図ることができるとともに量産性の向上を図ることができる。
【００１７】
なお、本発明は、上記実施形態の構成に限られず、種々の変形が可能であり、例えば、樹脂バネ９及び当接部１０を複数設けても構わない。また、樹脂バネ９は、トップカバー４の後端中央部に設けても構わない。
【図面の簡単な説明】
【００１８】
【図１】本発明の一実施形態に係るスキャナ付プリンタを示す斜視図。
【図２】同スキャナ付プリンタのトップカバーが開放した状態を示す斜視図。
【図３】トップカバーが落下防止カバーを付勢する付勢構造を示す拡大図。
【図４】図３におけるＡ−Ａ線断面図。
【図５】図３のＡ−Ａ線断面におけるトップカバーの開閉の状況を示す説明図。
【符号の説明】
【００１９】
１  スキャナ付プリンタ
２  操作パネル
３  読取台
４  スキャナーリッド（トップカバー）
５  本体部
５ａ  給紙口
６  給紙トレー
７  排紙口
８  落下防止カバー
９  樹脂バネ（付勢部）
１０  当接部
１１  嵌合凹部
１２  嵌合凸部
１３  回動軸
１４  ストッパ
１５  トップカバー開口
１６  支軸
１７  ペン（異物の例）
【図１】
0004492468.tif 000002
【図２】
0004492468.tif 000003
【図３】
0004492468.tif 000004
【図４】
0004492468.tif 000005
【図５】
0004492468.tif 000006